(57)【要約】【課題】輪の大きさを調整しても使用感が出にくい紙製のカラーサポータを提供する。【解決手段】シャツの衿の内側部分に嵌め込まれて衿の型崩れを防ぐカラーサポータ７に関し、保形性を持つ厚紙により全体が形成されて帯状に延びるサポータ本体８を備え、該サポータ本体８の長手方向一端側に、一対の切れ込み９，９を前記サポータ本体８の幅方向一端側から中間部にかけて入れることで短冊状に切り起こし得るよう差し込み片１０を形成し、前記サポータ本体８の長手方向他端側には、前記差し込み片１０を摺動自在に差し入れ得るよう前記サポータ本体８の長手方向に延びるスリット１１を形成する。【選択図】図１
0003224169.tif 000002
【実用新案登録請求の範囲】
【請求項１】
シャツの衿の内側部分に嵌め込まれて衿の型崩れを防ぐカラーサポータであって、保形性を持つ厚紙により全体が形成されて帯状に延びるサポータ本体を備え、該サポータ本体の長手方向一端側に、一対の切れ込みを前記サポータ本体の幅方向一端側から中間部にかけて入れることで短冊状に切り起こし得るよう差し込み片を形成し、前記サポータ本体の長手方向他端側には、前記差し込み片を摺動自在に差し入れ得るよう前記サポータ本体の長手方向に延びるスリットを形成したことを特徴とするカラーサポータ。
【請求項２】
サポータ本体の長手方向における差し込み片とスリットとの間に窓部を開口したことを特徴とする請求項１に記載のカラーサポータ。
【請求項３】
窓部を切り起こしにより開口するように形成したことを特徴とする請求項２に記載のカラーサポータ。
【考案の詳細な説明】
【技術分野】
【０００１】
本考案は、カラーサポータに関するものである。
【背景技術】
【０００２】
一般的に、シャツをトラック等で運搬する場合や、倉庫等に保管しておく場合には、図５に示す如く、シャツ１を奇麗に畳んだ上で衿２の内側部分にプラスチック製のカラーサポータ３を嵌め込み、折り畳んだ複数のシャツ１を上下に積み重ねても前記カラーサポータ３により上載荷重が支えられて衿２の形状が崩れないようにしている。
【０００３】
図６は従来のカラーサポータ３の一例についての詳細を示すもので、ここに図示しているカラーサポータ３は、帯状の樹脂シートの一端に形成した凸型のフラップ４を他端側に形成した複数のスリット５のうちの何れかに差し込んで係止させ、これにより図７に示す如き無端状に組み立てられるようにしたもので、前記樹脂シートの長手方向中央部に折り目６を入れて上面視で略三角形を成すように形づけられて使用されるようになっている。
【考案の概要】
【考案が解決しようとする課題】
【０００４】
しかしながら、近年においては、環境保護の観点から様々な分野で脱プラスチックの動きが加速してきており、開封後に不要な不燃ゴミと化すカラーサポータについても、これを厚紙で形成するようにして、紙ゴミとして捨てられるようにすることが検討されているが、紙製のカラーサポータとなることで従来のプラスチック製のものよりも材質的に使用感が残りやすいという課題があり、特にカラーサポータの輪の大きさを調整する必要が生じた場合に、前述の如き従来のカラーサポータ３と同じ形式では、スリット５の何れかを選び直してフラップ４を差し替えることになり、先にフラップ４を差していたスリット５に未使用のスリット５よりも隙間が大きくなる等といった使用感が残り、指し直すフラップ４側にも折れ曲がり等の使用感が出やすくなる結果、カラーサポータ全体の新品のイメージが損なわれる虞れがあった。
【０００５】
本考案は上述の実情に鑑みてなしたもので、輪の大きさを調整しても使用感が出にくい紙製のカラーサポータを提供することを目的とする。
【課題を解決するための手段】
【０００６】
本考案は、シャツの衿の内側部分に嵌め込まれて衿の型崩れを防ぐカラーサポータであって、保形性を持つ厚紙により全体が形成されて帯状に延びるサポータ本体を備え、該サポータ本体の長手方向一端側に、一対の切れ込みを前記サポータ本体の幅方向一端側から中間部にかけて入れることで短冊状に切り起こし得るよう差し込み片を形成し、前記サポータ本体の長手方向他端側には、前記差し込み片を摺動自在に差し入れ得るよう前記サポータ本体の長手方向に延びるスリットを形成したことを特徴とするものである。
【０００７】
而して、このようにした場合、サポータ本体の一端側と他端側とを重ね合わせ、該サポータ本体の一端側の差し込み片を撓ませる程度に切り起こして他端側のスリットに差し込んで係止させると、前記差し込み片が摩擦力によりスリットの途中に固定されて前記サポータ本体が無端状に組み立てられ、シャツの衿の内側部分に嵌め込んで保形具として利用することが可能となり、しかも、前記差し込み片を前記スリットに対し前記サポータ本体の長手方向に摺動させることでカラーサポータの輪の大きさを調整することが可能となる。
【０００８】
また、本考案においては、サポータ本体の長手方向における差し込み片とスリットとの間に窓部を開口させることが好ましく、このようにすれば、窓部から衿の内側部分の質感を確かめることが可能となり、しかも、その窓部が意匠的なアクセントとなってカラーサポータ自体が美観の良い付帯物となる。
【０００９】
更に、窓部を切り起こしにより開口するように形成しても良く、このようにすれば、窓部を単なる開口部として形成する場合よりも装飾性が増し、前記窓部が立体的で優美な外観となることでカラーサポータからおしゃれな雰囲気が醸し出される。
【考案の効果】
【００１０】
上記した本考案のカラーサポータによれば、下記の如き種々の優れた効果を奏し得る。
【００１１】
（Ｉ）本考案の請求項１に記載の考案によれば、差し込み片をスリットに対し前記サポータ本体の長手方向に摺動させることでカラーサポータの輪の大きさを調整することができるので、その調整にあたり使用感を残さないようにすることができてカラーサポータ全体の新品のイメージを良好に保つことができ、しかも、開封後に不要となるカラーサポータを廃棄処理の容易な紙ゴミとすることで環境保護に大きく寄与せしめることができる。
【００１２】
（ＩＩ）本考案の請求項２に記載の考案によれば、窓部から衿の内側部分の質感を確かめることができる一方、その窓部を意匠的なアクセントとすることでカラーサポータ自体を美観の良い付帯物とすることができ、これによりシャツの陳列時における商品イメージを大幅に向上することができる。
【００１３】
（ＩＩＩ）本考案の請求項３に記載の考案によれば、窓部を単なる開口部として形成する場合よりも装飾性を増すことができ、前記窓部を立体的で優美な外観とすることでカラーサポータからおしゃれな雰囲気を醸し出させることができて商品イメージの更なる向上を図ることができる。
【図面の簡単な説明】
【００１４】
【図１】本考案を実施する形態の一例を示す展開図である。
【図２】図１のカラーサポータを無端状に組み立てた状態を示す斜視図である。
【図３】図２のスリットと差し込み片の係止状態を背面側から見た斜視図である。
【図４】図２の窓部を切り起こしにより開口した状態を示す斜視図である。
【図５】従来例を示す斜視図である。
【図６】図５のカラーサポータの展開図である。
【図７】図６のカラーサポータを無端状に組み立てた状態を示す斜視図である。
【考案を実施するための形態】
【００１５】
以下、本考案の実施の形態を図面を参照しつつ説明する。
【００１６】
図１〜図４は本考案を実施する形態の一例を示すもので、図５〜図７と同一の符号を付した部分は同一物を表わしている。
【００１７】
図１に示す如く、本形態例のカラーサポータ７においては、保形性を持つ厚紙により全体が形成されて帯状に延びるサポータ本体８を主構成とし、該サポータ本体８の長手方向一端側に、一対の切れ込み９，９を前記サポータ本体８の幅方向一端側から中間部にかけて入れることで短冊状に切り起こし得るよう差し込み片１０が形成され、前記サポータ本体８の長手方向他端側には、前記差し込み片１０を摺動自在に差し入れ得るよう前記サポータ本体８の長手方向に延びるスリット１１が形成されている。
【００１８】
また、ここに図示している例においては、サポータ本体８の長手方向における差し込み片１０とスリット１１との間に複数の窓部１２が開口してあり、これらの窓部１２は、周囲の四辺を切り起こしにより開口されるように形成されているが、一部は切り起こさないままでも開口されるように切り欠かれている（図１参照）。
【００１９】
而して、このようにした場合、図２及び図３に示す如く、サポータ本体８の長手方向中央部に折り目１３（図１及び図３参照）を入れて上面視で略三角形を成すように形づけながら前記サポータ本体８の一端側と他端側とを重ね合わせ、該サポータ本体８の一端側の差し込み片１０を撓ませる程度に切り起こして他端側のスリット１１に差し込んで係止させると、前記差し込み片１０が摩擦力によりスリット１１の途中に固定されて前記サポータ本体８が無端状に組み立てられ、シャツ１（図５参照）の衿２（図５参照）の内側部分に嵌め込んで保形具として利用することが可能となり、しかも、前記差し込み片１０を前記スリット１１に対し前記サポータ本体８の長手方向に摺動させることでカラーサポータ７の輪の大きさを調整することが可能となる。
【００２０】
また、図４に示す如く、サポータ本体８の長手方向における差し込み片１０とスリット１１との間の窓部１２を内側に切り起こすことにより開口させると、これらの窓部１２から衿２（図５参照）の内側部分の質感を確かめることが可能となり、しかも、その窓部１２が意匠的なアクセントとなってカラーサポータ７自体が美観の良い付帯物となる。
【００２１】
特に本形態例においては、窓部１２を切り起こしにより開口するように形成しているので、窓部１２を単なる開口部として形成する場合よりも装飾性が増し、前記窓部１２が立体的で優美な外観となることでカラーサポータ７からおしゃれな雰囲気が醸し出される。
【００２２】
従って、上記形態例によれば、差し込み片１０をスリット１１に対し前記サポータ本体８の長手方向に摺動させることでカラーサポータ７の輪の大きさを調整することができるので、その調整にあたり使用感を残さないようにすることができてカラーサポータ７全体の新品のイメージを良好に保つことができ、しかも、開封後に不要となるカラーサポータ７を廃棄処理の容易な紙ゴミとすることで環境保護に大きく寄与せしめることができる。
【００２３】
また、窓部１２から衿２（図５参照）の内側部分の質感を確かめることができる一方、その窓部１２を意匠的なアクセントとすることでカラーサポータ７自体を美観の良い付帯物とすることができ、これによりシャツの陳列時における商品イメージを大幅に向上することができるが、特に本形態例の場合は、窓部１２を切り起こしにより開口するように形成しているので、窓部１２を単なる開口部として形成する場合よりも装飾性を増すことができ、前記窓部１２を立体的で優美な外観とすることでカラーサポータ７からおしゃれな雰囲気を醸し出させることができて商品イメージの更なる向上を図ることができる。
【００２４】
尚、本考案のカラーサポータは、上述の形態例にのみ限定されるものではなく、本考案の要旨を逸脱しない範囲内において種々変更を加え得ることは勿論である。
【符号の説明】
【００２５】
１      シャツ
２      衿
７      カラーサポータ
８      サポータ本体
９      切れ込み
１０    差し込み片
１１    スリット
１２    窓部
【図１】
0003224169.tif 000003
【図２】
0003224169.tif 000004
【図３】
0003224169.tif 000005
【図４】
0003224169.tif 000006
【図５】
0003224169.tif 000007
【図６】
0003224169.tif 000008
【図７】
0003224169.tif 000009